(57)【要約】【課題】流路に連通する開口部を有する中空成形品の製造工程の単純化を可能にする。【解決手段】  本発明によれば第１樹脂シートと第２樹脂シートが部分的に溶着されてなる中空成形品であって、第１樹脂シートと第２樹脂シートの間には流路が設けられ、前記流路は、前記中空成形品の側面から突出し且つ先端に開口部を有する突出筒に連通されており、前記突出筒は、第１樹脂シートと第２樹脂シートによって形成されている、中空成形品が提供される。【選択図】図１
2015199241.tif 000002
【特許請求の範囲】
【請求項１】
第１樹脂シートと第２樹脂シートが部分的に溶着されてなる中空成形品であって、
第１樹脂シートと第２樹脂シートの間には流路が設けられ、
前記流路は、前記中空成形品の側面から突出し且つ先端に開口部を有する突出筒に連通されており、
前記突出筒は、第１樹脂シートと第２樹脂シートによって形成されている、中空成形品。
【請求項２】
前記流路は、大径部と、前記大径部よりも径が小さい小径部とが長手方向に沿って交互に設けられる撹拌促進部を備える、請求項１に記載の中空成形品。
【請求項３】
前記中空成形品を折曲げ可能にするヒンジ部をさらに備える、請求項１又は請求項２に記載の中空成形品。
【請求項４】
前記流路は、機能部品を収容可能な機能部品収容部を備える、請求項１〜請求項３の何れか１つに記載の中空成形品。
【発明の詳細な説明】
【技術分野】
【０００１】
本発明は、中空成形品に関する。
【背景技術】
【０００２】
特許文献１には、溝を形成した２枚の樹脂シートを貼り合わせることによって、流路を有する中空成形品を製造する方法が開示されている。この流路は、中空成形品の側面に設けられた開口部に連通されている。この開口部内には、注水管などの先端が挿入されるために、接続部での液漏れを防ぐために、開口部の内径を高精度に規制することが要求される。そして、特許文献１では、真空成形によって中空成形品を製造する際に、２枚の樹脂シートの間の、中空成形品の開口部に相当する位置にコアを配置することによって、中空成形品の開口部の内径を高精度に規制している。
【先行技術文献】
【特許文献】
【０００３】
【特許文献１】特開２０１３−４９１９６号公報
【発明の概要】
【発明が解決しようとする課題】
【０００４】
特許文献１の方法では、中空成形品の開口部の内径を高精度に規制することが可能であるが、成形時に２枚の樹脂シートの間にコアを配置することが必要であるので、その分だけ、中空成形品の製造工程が複雑になるという問題がある。
【０００５】
本発明はこのような事情に鑑みてなされたものであり、流路に連通する開口部を有する中空成形品の製造工程の単純化を可能にするものである。
【課題を解決するための手段】
【０００６】
本発明によれば第１樹脂シートと第２樹脂シートが部分的に溶着されてなる中空成形品であって、第１樹脂シートと第２樹脂シートの間には流路が設けられ、前記流路は、前記中空成形品の側面から突出し且つ先端に開口部を有する突出筒に連通されており、前記突出筒は、第１樹脂シートと第２樹脂シートによって形成されている、中空成形品が提供される。
【０００７】
本発明者は、前述の目的を達成するために、種々検討を重ねてきた。その結果、２枚の樹脂シートからなる中空成形品において、２枚の樹脂シートによって、流路に連通する開口部を有する突出筒を形成することを思い付いた。この突出筒の内径は高精度には規制されていないが、突出筒の外径は成形用の金型によって高精度に規制されるので、この突出筒を注水管などのチューブ内に挿入することによって、連結部での液漏れを防ぐことを可能にし、本発明の完成に到った。本発明の中空成形品を製造する際には、２枚の樹脂シートの間にコアを配置することが必要ではないので、製造工程を単純化することが可能である。
【０００８】
以下、本発明の種々の実施形態を例示する。以下に示す実施形態は互いに組み合わせ可能である。
好ましくは、前記流路は、大径部と、前記大径部よりも径が小さい小径部とが長手方向に沿って交互に設けられる撹拌促進部を備える。
好ましくは、前記中空成形品を折曲げ可能にするヒンジ部をさらに備える。
好ましくは、前記流路は、機能部品を収容可能な機能部品収容部を備える。
【図面の簡単な説明】
【０００９】
【図１】本発明の一実施形態の中空成形品１の構成を示す斜視図である。
【図２】図１の中空成形品１の平面図である。
【図３】図２の中空成形品１の（ａ）左側面図、（ｂ）右側面図、（ｃ）Ａ−Ａ断面図である。
【図４】図２の中空成形品１の（ａ）底面図、（ｂ）Ｆ−Ｆ断面図、（ｃ）Ｂ−Ｂ拡大断面図、（ｄ）Ｃ−Ｃ拡大断面図、（ｅ）Ｄ−Ｄ拡大断面図、（ｆ）Ｅ−Ｅ拡大断面図である。
【図５】（ａ）〜（ｃ）は、図１の中空成形品１の製造工程を示し、（ａ）〜（ｂ）は、樹脂シート３，４を金型１１，１２に密着させる前及び後の状態を示し、（ｃ）は、金型の型締め後の状態を示す。
【発明を実施するための形態】
【００１０】
以下、本発明の一実施形態の中空成形品について説明する。本実施形態の中空成形品の用途は特に限定されず、中空成形品内に液体を流通させる種々の用途に適用可能である。用途の一例は、集熱器や温水パネルである。以下に示す中空成形品の流路や突出筒の構成は一例であって、その数、配置、形状などは適宜変更可能である。
【００１１】
図１に示すように、本発明の一実施形態の中空成形品１は、第１樹脂シート３と第２樹脂シート４が部分的に溶着されてなる。樹脂シート３，４の境界に形成されるパーティングラインＰＬは、本実施形態では、中空成形品１の厚さ方向の略中央に設けられる。樹脂シート３，４の間には液体が流通可能な流路５ａ，５ｂ，５ｃが設けられている。
【００１２】
中空成形品１には、中空成形品１を折曲げ可能にするヒンジ部１３が２箇所設けられている。２つのヒンジ部１３は、近接して略平行に設けられている。中空成形品１は、２つのヒンジ部１３を挟む第１及び第２セクション１ａ，１ｂと、２つのヒンジ部１３によって挟まれる第３セクション１ｃに区分される。流路５ａ，５ｂは、第１セクション１ａに設けられ、流路５ｃは、第２セクション１ｂに設けられる。ヒンジ部１３は、ヒンジ部１３以外の部位よりも薄厚になっており、図５に示す金型１１，１２を用いて樹脂シート３，４を成形する際に、金型１１，１２の対向する突起間の距離をヒンジ部１３以外の部位よりも短く（好ましくは、成形前の樹脂シート３，４の合計厚さよりも短く）することによって形成することができる。ヒンジ部１３で中空成形品１を折り畳むことによって中空成形品１をコンパクトにすることができる。また、ヒーターなどの熱交換対象物を挟んで中空成形品１を折り畳むことによって、熱交換効率を向上させることができる。
【００１３】
流路５ａは、中空成形品１の側面から突出する突出筒７ａ，７ｂに連通されている。突出筒７ａ，７ｂの先端には開口部が設けられている。このため、流路５ａ内への液体を供給するための供給チューブ（図示せず）と流路５ａから液体を排出するための排出チューブ（図示せず）を、突出筒７ａ，７ｂに連結させることによって、流路５ａ内に液体を流通させることができる。供給チューブ及び排出チューブは、突出筒７ａ，７ｂを供給チューブ及び排出チューブの開口内に挿入することによって、突出筒７ａ，７ｂに連結させることができる。供給チューブ及び排出チューブを精度良く突出筒７ａ，７ｂに連結して液漏れを防ぐには、突出筒７ａ，７ｂの外径の寸法精度を高くする必要があるところ、突出筒７ａ，７ｂは、図５に示す金型１１，１２を用いて樹脂シート３，４を成形して形成されるので、特別な操作を行うことなく、突出筒７ａ，７ｂの外径の寸法精度を高くすることができる。突出筒７ａ，７ｂの形状は、特に限定されず、供給チューブ及び排出チューブに連結可能な形状であればよい。一例では、図４（ｃ）に示すように、突出筒７ａは、円筒部７ａ１の略先端の外面に突起７ａ２が設けられた構成であり、この突起７ａ２によってチューブが突出筒７ａから抜けることが抑制される。また、図４（ｄ）に示すように、突出筒７ｂは、円筒部７ｂ１の略先端の外面に段状突起７ｂ２が設けられた構成である。段状突起７ｂ２の段の高さは、突出筒７ｂの先端から離れるにつれて高くなっている。このような構成によれば、突出筒７ｂの外径が突出筒７ｂの先端から離れるにつれて大きくなるので、突出筒７ｂを挿入するチューブの内径が変化しても、突出筒７ｂを確実にチューブに取り付けることができる。
【００１４】
流路５ａは、第１セクション１ａ内で蛇行しており、流路５ａの少なくとも一部には、流路５ａ内を流れる液体の撹拌を促進する撹拌促進部６が設けられる。撹拌促進部６は、大径部６ａと、大径部６ａよりも径が小さい小径部６ｂとが長手方向に沿って交互に設けられて構成されている。このような構成によって撹拌促進部６を流れる液体の流速が変動して撹拌が促進される。また、流路５ａの側縁に沿って薄厚溶着部５ｄが設けられる。薄厚溶着部５ｄは、図５に示す金型１１，１２を用いて樹脂シート３，４を成形する際に、金型１１，１２の対向する突起間の距離を、成形前の樹脂シート３，４の合計厚さよりも短くすることによって形成することができる。このような構成によって、樹脂シート３，４が確実に溶着され、流路５ａからの液漏れを防ぐことができる。
【００１５】
流路５ｂは、中空成形品１の側面から突出する一対の突出筒７ｅに連通されている。突出筒７ｅの先端には開口部が設けられている。突出筒７ｅは、突出筒７ａ，７ｂと同様に、供給チューブ及び排出チューブに連結させることができる。流路５ｂには、機能部品収容部９が設けられている。機能部品収容部９にはフィルタやスタティックミキサなどの機能部品を収容することができる。フィルタは、流路５ｂを流れる液体中の異物を除去することができ、スタティックミキサは、流路５ｂを流れる液体を撹拌することができる。機能部品は、図５（ｃ）に示すように金型１１，１２を閉じる前に、樹脂シート３，４の間の、機能部品収容部９に相当する部分に機能部品を配置することによって、中空成形品１内に内蔵させることができる。機能部品収容部９は嵩高いので、ヒンジ部１３で中空成形品１を折り畳んだ時に、機能部品収容部９が第２セクション１ｂに干渉しないように、第２セクション１ｂの、機能部品収容部９に対向する部位には開口部１１が設けられている。また、流路５ａと同様に、流路５ｂの側縁に沿って薄厚溶着部５ｄが設けられている。
【００１６】
流路５ｃは、中空成形品１の側面から突出する突出筒７ｃ，７ｄに連通されている。突出筒７ｃ，７ｄの先端には開口部が設けられている。突出筒７ｃ，７ｄは、突出筒７ａ，７ｂと同様に、供給チューブ及び排出チューブに連結させることができる。突出筒７ｃ，７ｄは、図４（ｅ）〜（ｆ）に示すように、略円筒状の挿入部７ｃ１，７ｄ１と、挿入部７ｃ１，７ｄ１が挿入されるチューブの先端に当接する当接部７ｃ２，７ｄ２を備える。このような構成によれば、当接部７ｃ２，７ｄ２がチューブの先端に当接するまで挿入部７ｃ１，７ｄ１をチューブ内に挿入することによって、突出筒７ｃ，７ｄの、チューブ内への挿入量を正確に規定することができる。流路５ｃは、第２セクション１ｂ内で蛇行している。また、流路５ａと同様に、流路５ｃの側縁に沿って薄厚溶着部５ｄが設けられている。
【００１７】
次に、本実施形態の中空成形品１の製造方法について説明する。
まず、図５（ａ）に示すように、中空成形品１の形状に応じた内面形状を有する一対の分割金型１１，１２を用意し、溶融状態の樹脂シート（パリソン）３，４を金型１１，１２の間に配置する。
【００１８】
次に、図５（ｂ）に示すように、溶融状態の樹脂シート３，４を金型１１，１２側から吸引することにより、樹脂シート３，４を金型１１，１２に密着させる。
【００１９】
次に、図５（ｃ）に示すように、金型１１，１２を型締めし、樹脂シート３，４を部分的に溶着させる。樹脂シート３，４は、例えば、中空成形品１の周縁部、開口部１１の周縁部、流路５ａ〜５ｃの側縁に沿った薄厚溶着部５ｄ、ヒンジ部１３において溶着させる。これ以外の部分においては、樹脂シート３，４を溶着させてもよく、樹脂シート３，４の間を中空にしてもよい。また、金型１１，１２には、金型１１，１２の内部に形成されるキャビティ１５を取り囲むようにピンチオフ部１１ｂ，１２ｂが設けられており、樹脂シート３，４がピンチオフ部１１ｂ，１２ｂによって挟まれて潰される。樹脂シート３，４のうちキャビティ１５の外側にある部分がバリ１６となり、ピンチオフ部１１ｂ，１２ｂによって挟まれた部分がバリ１６の切り取り線となる。本実施形態では中空成形品１の側面から突出する突出筒７ａ〜７ｅが設けられており、突出筒７ａ〜７ｅでの樹脂シート３，４の境界上にもバリ１６が形成される。また、開口部１１となる部位にもバリ１６が形成される。
【００２０】
次に、金型１１，１２を開いて成形品を取り出し、バリ１６を除去して、図１に示す中空成形品１が形成される。
【００２１】
（別観点の発明）
本発明は、以下のように把握することもできる。上記の実施形態中の説明は、以下の観点の発明にも適用可能である。以下の観点の発明では、突出筒は必須ではない。
本発明の別観点によれば、第１樹脂シートと第２樹脂シートが部分的に溶着されてなる中空成形品であって、第１樹脂シートと第２樹脂シートの間には流路が設けられ、前記流路は、大径部と、前記大径部よりも径が小さい小径部とが長手方向に沿って交互に設けられる撹拌促進部を備える、中空成形品が提供される。この場合、流路を流れる液体の撹拌を促進することができる。
本発明のさらに別観点によれば、第１樹脂シートと第２樹脂シートが部分的に溶着されてなる中空成形品であって、第１樹脂シートと第２樹脂シートの間には流路が設けられ、前記中空成形品を折曲げ可能にするヒンジ部を備える、中空成形品が提供される。この場合、ヒンジ部で中空成形品を折り畳むことによって中空成形品をコンパクトにすることができる。また、ヒーターなどの熱交換対象物を挟んで中空成形品を折り畳むことによって、熱交換効率を向上させることができる。
本発明のさらに別観点によれば、第１樹脂シートと第２樹脂シートが部分的に溶着されてなる中空成形品であって、第１樹脂シートと第２樹脂シートの間には流路が設けられ、前記流路は、機能部品を収容可能な機能部品収容部を備える、中空成形品が提供される。この場合、機能部品収容部にフィルタやスタティックミキサなどの機能部品を収容することができる。
【符号の説明】
【００２２】
１：中空成形品、３，４：樹脂シート、５ａ〜５ｃ：流路、７ａ〜７ｅ：突出筒、９：機能部品収容部、１３：ヒンジ部
【図１】
2015199241.tif 000003
【図２】
2015199241.tif 000004
【図３】
2015199241.tif 000005
【図４】
2015199241.tif 000006
【図５】
2015199241.tif 000007